(57)【要約】  【目的】電動機の回転に伴う振動の握り部への伝達を低減し得る電動歯ブラシを提供することを目的とする。  【構成】内側ケース１０には電動歯ブラシ本体１先端部側に偏心重り１９を位置させて電動機１８を配設して内側ケース１０を電動ブラシ本体１先端部内面に当接させると共に、電動歯ブラシ本体１の内側ケース１０が当接する位置と握り部９との間に、周方向に薄肉部５を形成し、薄肉部５の外周を、耐震性を有する材料にて被覆した被覆層７を形成する。【選択図】        図１
2005261462.tif 000002
【特許請求の範囲】
【請求項１】
筒状の本体ケースに駆動部品を収納した電動歯ブラシ本体の先端部にブラシ等のアタッチメントを取着した電動歯ブラシにおいて、前記本体ケースには、前記先端部に電動機を配設すると共に、前記先端部と本体ケース側面の握り部との間に略全周にわたり薄肉部を形成し、前記薄肉部外周を、耐震性を有する材料にて被覆したことを特徴とする電動歯ブラシ。
【請求項２】
電動歯ブラシ本体の先端部にブラシ等のアタッチメントを取着し、前記電動歯ブラシ本体の筒状本体ケースに偏心重りを有する電動機を配設して前記アタッチメントを振動させる電動歯ブラシにおいて、前記本体ケースには、前記先端部に偏心重りを向けて電動機を配設すると共に、前記先端部と本体ケース側面の握り部との間には、周方向に薄肉部を形成し、前記薄肉部の外周を、耐震性を有する材料にて被覆したことを特徴とする電動歯ブラシ。
【請求項３】
電動歯ブラシ本体の先端部にブラシ等のアタッチメントを取着し、前記電動歯ブラシ本体の筒状本体ケース内に、偏心重りを有する電動機を配設した内側ケースを装着した電動歯ブラシにおいて、前記内側ケースには電動歯ブラシ本体先端部側に偏心重りを位置させて電動機を配設して内側ケースを電動ブラシ本体先端部内面に当接させると共に、前記電動歯ブラシ本体の内側ケースが当接する位置と握り部との間に、周方向に薄肉部を形成し、前記薄肉部の外周を、耐震性を有する材料にて被覆したことを特徴とする電動歯ブラシ。
【請求項４】
前記薄肉部外周をエラストマーにて被覆したことを特徴とする請求項１記載の電動歯ブラシ。
【発明の詳細な説明】
【技術分野】
【０００１】
本発明は、電動機の振動が本体ケースの握り部に伝わるのを低減しようとする技術に関わるものである。
【背景技術】
【０００２】
従来、偏心重りを電動機により回転させてブラシを振動させたり、電動機を駆動源としてブラシを往復運動や回動させて歯磨きを行う電動歯ブラシが、特開平５−１０３７０５号公報（A46B 13/02）や特開平９−３８１１５号公報(A61C 17/22)等にて知られている。
【特許文献１】特開平５−１０３７０５号公報
【特許文献２】特開平９−３８１１５号公報
【発明の開示】
【発明が解決しようとする課題】
【０００３】
しかしながら、これらの電動歯ブラシは、電動機が本体ケースの握り部に位置しており、電動機の駆動時に電動機の振動が電動歯ブラシを握る手に伝わり、使用者に不快感を与える問題があった。
【０００４】
本発明は、かかる問題に鑑みてなされたもので、電動機の振動が使用者の手に伝わるのを低減し得る電動歯ブラシを提供することを課題とする。
【課題を解決するための手段】
【０００５】
本発明の電動歯ブラシは、筒状の本体ケースに駆動部品を収納した電動歯ブラシ本体の先端部にブラシ等のアタッチメントを取着した電動歯ブラシにおいて、前記本体ケースには、前記先端部に電動機を配設すると共に、前記先端部と本体ケース側面の握り部との間に略全周にわたり薄肉部を形成し、前記薄肉部外周を、耐震性を有する材料にて被覆したことを特徴とする。
【０００６】
また、本発明の電動歯ブラシは、電動歯ブラシ本体の先端部にブラシ等のアタッチメントを取着し、前記電動歯ブラシ本体の筒状本体ケースに偏心重りを有する電動機を配設して前記アタッチメントを振動させる電動歯ブラシにおいて、前記本体ケースには、前記先端部に偏心重りを向けて電動機を配設すると共に、前記先端部と本体ケース側面の握り部との間には、周方向に薄肉部を形成し、前記薄肉部の外周を、耐震性を有する材料にて被覆したことを特徴とする。
【０００７】
さらに、本発明の電動歯ブラシは、電動歯ブラシ本体の先端部にブラシ等のアタッチメントを取着し、前記電動歯ブラシ本体の筒状本体ケース内に、偏心重りを有する電動機を配設した内側ケースを装着した電動歯ブラシにおいて、前記内側ケースには電動歯ブラシ本体先端部側に偏心重りを位置させて電動機を配設して内側ケースを電動ブラシ本体先端部内面に当接させると共に、前記電動歯ブラシ本体の内側ケースが当接する位置と握り部との間に、周方向に薄肉部を形成し、前記薄肉部の外周を、耐震性を有する材料にて被覆したことを特徴とする。
【０００８】
尚、上記本発明の電動歯ブラシにおいて、薄肉部外周をエラストマーにて被覆することが望ましい。
【発明の効果】
【０００９】
本発明にかかる電動歯ブラシは、振動の発生する電動歯ブラシ本体の先端部と握り部との間を薄肉にし、その外周を耐震性を有する材料にて被覆しているので、電動機の振動が握り部に伝達するのを低減することができ、使用者の不快感を低減することができる等の効果を奏する。
【発明を実施するための最良の形態】
【００１０】
以下本発明の実施形態を図面に基づいて説明する。図１は本発明の実施の形態を示す電動歯ブラシの断面図、図２は同電動歯ブラシの他の方向からみた断面図、図３は同電動歯ブラシの正面図、図４は同電動歯ブラシの側面図、図５は同電動歯ブラシの背面図、図６は同電動歯ブラシの要部拡大断面図、図７は蓋体を取り外した状態の電動歯ブラシ本体の下面図、図８は蓋体の平面図、図９は導電性バネを示し、（ａ）は上面図、（ｂ）は側面図、（ｃ）は他の方向からみた側面図である。
【００１１】
図において、１は電動歯ブラシ本体で、先端部に形成された図示しない軸にブラシ等のアタッチメント２が着脱自在に装着されるようになっている。３は前記電動歯ブラシ本体１のアタッチメント２が取着される先端部と対向する端部（後端部）に着脱自在に装着される蓋体である。
【００１２】
以下に電動歯ブラシ本体１について詳述する。４は筒状に形成された合成樹脂製の本体ケースで、後述する内側ケース１０とで電動歯ブラシ本体１を構成している。前記本体ケース４は、一方の端部（先端部）にアタッチメント２を取着する図示しない軸が一体に形成されており、前記一方の端部（先端部）と対向する他端側を開放し、該他端側に前記蓋体３が着脱自在に装着されるようになっている。前記本体ケース４側面には、前記一方の端部（先端部）側から中央部にかけて全周にわたって薄肉部５が形成されており、前記本体ケース４正面の薄肉部５には、長円形状の切り欠き部６が形成されている。前記薄肉部５は図３乃至図５に示されるごとく、本体ケース４の両側部分が他端側近傍まで延長して形成されている。７は前記薄肉部５に被覆される被覆層で、耐震性を有する材料、本実施の形態では、エラストマーを用いている。前記被覆層７は、振動を伝えにくい材料であれば、他の材料を用いてもよい。振動を伝えにくい材料としては、エラストマー以外に、発泡合成樹脂、例えば、ポリプロピレンやポリエチレンなどの合成樹脂を発泡させたものなどを用いることができる。前記被覆層７には、前記切り欠き部６を介して本体ケース４内面側に突出し、後述するスイッチ１５をオンオフ操作する操作部８が一体に形成されている。前記本体ケース４側面の被覆層７が形成された箇所から蓋体３にかけた部分により電動歯ブラシの握り部９を構成している。
【００１３】
１０は前記本体ケース４内に装着される合成樹脂製の内側ケースで、電池を収納する円筒状の電池収納部１１と、後述するスイッチ１５等を装着する平板状の装着部１２と、後述する電動機１８を装着する電動機収納部１３とが構成されており、本体ケース４への挿入状態で、電動機収納部１３の先端部が略全周にわたって本体ケース１の前記一方の端部（先端部）内面に当接し、後述する電動機１８の偏心重り１９による振動を本体ケース１内面との間でがたつくことなく、本体ケース１先端部に装着されるアタッチメント２に伝達するようになっている。
【００１４】
１４は前記内側ケース１０の電池収納部１１外側面に装着される導電板で、電池収納部１１の開口側に位置する一端が電池収納部１１内側に挿入され、蓋体３に装着された後述する導電性バネ２０の膨出部２１と接触するようになっている。前記導電板１４の他端は、装着部１２に延設され、後述する電動機１８に図示しない給電線により接続される。
【００１５】
１５は前記装着部１２の導電板１４が配設された側面と相対向する側面に設けられるスイッチで、導電性のスイッチ片１６と端子板１７とから構成されている。前記スイッチ片１６は、一端が折曲されて電池収納部１１に挿入され、電池収納部１１に収納される電池の正極が接触するようになっており、前記操作部８の操作により端子板１７に接離して後述する電動機１８をオンオフ操作するようになっている。前記端子板１７は、一端が装着部１２の前記導電板１４が配設された側面に折曲され、図示しない給電線により後述する電動機１８に接続されている。
【００１６】
１８は前記内側ケース１０の電動機収納部１３に装着される電動機で、電動機収納部１３から本体ケース４先端部側に向かって内側ケース１０長手方向に突出する回転軸に偏心重り１９が装着されている。
【００１７】
図６及び図８において、２０は前記蓋体３内に装着される導電性バネで、図９に示されるごとく、螺旋状に巻回して形成されており、最大径部には、相対向する位置に膨出部２１が形成されている。前記膨出部２１は導電性バネ２０を蓋体３に装着した状態で、蓋体３に形成された開口部２２から外部に突出し、蓋体３を電気歯ブラシ本体１に装着した際に前記導電板１４の端部に接触して、電池収納部１１に収納される電池の負極と電動機１８とを電気的に接続するようになっている。
【００１８】
而して、組み立てる際には、内側ケース１０に導電板１４、スイッチ１５、電動機１８等を組み込みユニット化した状態で、内側ケース１０を本体ケース４内に挿入する。内側ケース１０は、電動機収納部１３の先端部が略全周にわたって本体ケース４先端部内面に当接し、内側ケース１０の電池収納部１１の開口側外面に形成された図示しない爪部が本体ケース４内面に形成された図示しない凹部に係合して固定された状態が維持される。
【００１９】
使用に際しては、蓋体３を取り外し、開口から電池収納部１１に電池を収納して蓋体３を閉塞する。そして、操作部８を操作してスイッチ１５をオンさせ、電動機１８を駆動させる。電動機１８の駆動に伴い、偏心重り１９の回転による振動によって電動歯ブラシ本体１に装着されたブラシ等のアタッチメント２が振動し、歯を効率よく磨く。
【００２０】
電動機１８の振動は、電動歯ブラシ本体１の握り部９にも伝達されるが、振動の発生源である偏心重り１８は本体ケース１先端部側に配置され、本体ケース４の先端部と握り部９との間を薄肉に形成してその外周を耐震性を有する材料からなる被覆層７により被覆したので、偏心重り１９の振動が握り部９へ伝達されるのを極力抑制することができる。即ち、薄肉部５を形成することにより本体ケース４の剛性が低下し、振動の伝達が抑制され、さらに薄肉部５を、耐震性を有する材料からなる被覆層７により被覆することにより、被覆層７を握る手への振動の伝達が抑制される。
【００２１】
尚、本実施の形態は、偏心重り１９の回転に伴う振動によりブラシ等のアタッチメントを振動させる方式に採用したが、ブラシを直線往復運動させる方式、あるいは、ブラシを回動往復運動させる方式に採用してもよい。
【図面の簡単な説明】
【００２２】
【図１】電動歯ブラシの断面図である。
【図２】同他の方向からみた断面図である。
【図３】同正面図である。
【図４】同側面図である。
【図５】同背面図である。
【図６】同蓋体を取り外した状態の平面図である。
【図７】蓋体の平面図である。
【図８】電動歯ブラシの一部拡大断面図である。
【図９】（ａ）は導電性バネの平面図、（ｂ）は導電性バネの側面図、（ｃ）は導電性バネの他の方向からみた側面図である。
【符号の説明】
【００２３】
１    電動歯ブラシ本体
２    アタッチメント（ブラシ）
３    蓋体
４    本体ケース
５    薄肉部
６    切り欠き部
７    被覆層
８    操作部
９    握り部
１０  内側ケース
１８  電動機
１９  偏心重り
【図１】
2005261462.tif 000003
【図２】
2005261462.tif 000004
【図３】
2005261462.tif 000005
【図４】
2005261462.tif 000006
【図５】
2005261462.tif 000007
【図６】
2005261462.tif 000008
【図７】
2005261462.tif 000009
【図８】
2005261462.tif 000010
【図９】
2005261462.tif 000011